(57)【要約】    【課題】  より高い吸塵性能を有するトイレ用空気清浄装置を提供すること。    【解決手段】  トイレ空間１０の床面１０ａに設置される筐体２と、筐体２の内部にて延在する流路３と、筐体２の下端部２２に設けられ、流路３と連通する吸込口４と、筐体２にて吸込口４より上方に設けられ、流路３を介して吸込口４と連通する吹出口５と、流路３に設けられ、吹出口５に向けて送風するファン６と、流路３のうち吸込口４とファン６との間に設けられる除塵フィルタ７と、をトイレ用空気清浄装置１が備える構成としたこと。【選択図】  図１
2009019336.tif 000002
【特許請求の範囲】
【請求項１】
トイレ空間の内に設置される筐体と、
前記筐体の内部にて延在する流路と、
前記筐体の下方に設けられ、前記流路と連通する吸込口と、
前記筐体にて前記吸込口より上方に設けられ、前記流路を介して前記吸込口と連通する第１吹出口と、
前記流路に設けられたファンと、
前記筐体にて前記吸込口と略同じ高さの位置に設けられ、前記流路と連通する第２吹出口と、
前記ファンからの送風を、前記第１吹出口と前記第２吹出口とに択一的に切り替える切り替え手段と、
前記切り替え手段と前記第２吹出口との間に配設された清浄手段と、
を備えることを特徴とするトイレ用空気清浄装置。
【請求項２】
前記筐体は、便器の背面側に設置されたロータンクを内部に収容可能な収納棚であることを特徴とする請求項１に記載のトイレ用空気清浄装置。
【請求項３】
前記吸込口は、前記便器を挟んで設けられることを特徴とする請求項２に記載のトイレ用空気清浄装置。
【請求項４】
前記吸込口には、空気の吸い込み方向を調節する吸い込みルーバーが設けられることを特徴とする請求項１乃至請求項３の何れか一項に記載のトイレ用空気清浄装置。
【請求項５】
前記吹出口には、空気の吹き出し方向を調節する吹き出しルーバーが設けられることを特徴とする請求項１乃至請求項４の何れか一項に記載のトイレ用空気清浄装置。
【請求項６】
前記清浄手段の下流側に、少なくとも脱臭フィルタ及び芳香剤の何れか配設されていることを特徴とする請求項１乃至請求項４の何れか一項に記載のトイレ用空気清浄装置。
【発明の詳細な説明】
【技術分野】
【０００１】
本発明は、トイレ用空気清浄装置に関する。
【背景技術】
【０００２】
一般的に、トイレ空間には塵が積もりやすく、空気が汚れやすい。かような事情に鑑み、トイレ空間には、空気清浄装置が設置されることがある。その例が、特許文献１に開示されている。
【０００３】
しかして、特許文献１に開示の空気清浄装置は、トイレ空間内に設置される収納棚の内部に配設されたものである。収納棚の上端はトイレ空間の天井近くまで延出されている。空気取入口は、収納棚中央部に設けられ、空気吹出口は、収納棚下端部に設けられている。
【特許文献１】特開平１−２７０８３５号公報
【発明の開示】
【発明が解決しようとする課題】
【０００４】
特許文献１に開示されている空気清浄装置においては、空気吸込口が収納棚中央部に設けられるので、空気吸込口と床面との間に距離があり、床面に堆積した塵が十分には吸い込まれない。
【０００５】
本発明はかような問題点に鑑みてなされたものであり、より高い吸塵性能を有するトイレ用空気清浄装置を提供することを課題とする。
【課題を解決するための手段】
【０００６】
上記課題を解決するために、本発明にて講じた技術的手段は、請求項１に記載の様に、トイレ空間の内部に設置される筐体と、
前記筐体の内部にて延在する流路と、
前記筐体の下方部に設けられ、前記流路と連通する吸込口と、
前記筐体にて前記吸込口より上方に設けられ、前記流路を介して前記吸込口と連通する第１吹出口と、
前記流路に設けられたファンと、
前記筐体にて前記吸込口と略同じ高さの位置に設けられ、前記流路と連通する第２吹出口と、
前記ファンからの送風を、前記第１吹出口と前記第２吹出口とに択一的に切り替える切り替え手段と、
前記切り替え手段と前記第２吹出口との間に配設された清浄手段と、
をトイレ用空気清浄装置が備える構成としたことである。
【０００７】
好ましくは、請求項２に記載の様に、前記筐体は、便器の背面側に設置されたロータンクを内部に収容可能な収納棚であると良い。
【０００８】
好ましくは、請求項３に記載の様に、前記吸込口は、前記便器を挟んで設けられると良い。
【０００９】
好ましくは、請求項４に記載の様に、前記吸込口には、空気の吸い込み方向を調節する吸い込みルーバーが設けられると良い。
【００１０】
好ましくは、請求項５に記載の様に、前記吹出口には、空気の吹き出し方向を調節する吹き出しルーバーが設けられると良い。
【００１１】
好ましくは、請求項６に記載の様に、前記清浄手段の下流側に、少なくとも脱臭フィルタ及び芳香剤の何れか配設されているのが良い。
【発明の効果】
【００１２】
請求項１に記載の発明によれば、空気の吸込口が筐体の下端部に設けられるので、吸込口が床面近傍に位置する。これにより、床面に堆積した塵、特にトイレットペーパがトイレットペーパホルダから引き出されて切断される際に不可避的に惹起される塵が吸込口に十分に吸い込まれ、装置の吸塵性能がより高まる。また、塵が吸込口に吸い込まれる前に、第２吹出口から空気を吹き出して空気中に塵を分散させておくことが出来るので、塵の吸引を容易に行え、延いては、清浄を実効あらしめることが出来る。
【００１３】
請求項２に記載の発明によれば、トイレ空間という狭い空間において、ロータンク周辺のデッドスペースがより有効に活用される。
【００１４】
請求項３に記載の発明によれば、便器を挟んだ両側において、床面に落下する塵や床面に堆積した塵が効率的に除去され、トイレ空間の空気全体がより均一に清浄化される。
【００１５】
請求項４に記載の発明によれば、空気が床面から吸込口に向かうように空気の吸い込み方向を調節することで、床面付近にある塵がより効率的に吸込口に吸い込まれ、吸塵性能がより高まる。
【００１６】
請求項５に記載の発明によれば、吹出口から吸込口に向かう空気の流れがつくられるように空気の吹き出し方向を調節することで、空気中にある塵や床面に堆積した塵がより効率的に吸込口に吸い込まれ、吸塵性能がより高まる。
【００１７】
請求項６に記載の発明によれば、除塵フィルタの下流側に、脱臭フィルタのみ、芳香剤のみ、若しくは双方が配置されるので、脱臭フィルタ（芳香剤）を通過する空気は清浄なものなので、目詰まりが極めて少なく、寿命が長くなる。
【発明を実施するための最良の形態】
【００１８】
以下、本発明を実施するための最良の形態を、図面を基に説明する。
【００１９】
図１は、本発明に係るトイレ用空気清浄装置１の斜視図である。
【００２０】
トイレ用空気清浄装置１は、トイレ空間１０の空気を清浄化するためのものである。しかして、トイレ空間１０には、図示こそしないが、周知のように、トイレットペーパが装填されたトイレットペーパホルダが設置されている。尚、本実施形態において、「空気を清浄化する」とは、空気中の埃の除去（除塵）、空気の脱臭（消臭）、空気への芳香の付与、などを意味する。
【００２１】
トイレ用空気清浄装置１は、筐体２と、流路３と、吸込口４と、吹出口５と、ファン６と、除塵フィルタ７と、を備えている。
【００２２】
筐体２は、トイレ空間１０の床面１０ａに設置される。筐体２は、トイレ背面用の収納棚であって、洋式便器８の背面側に設置されたロータンク９を内部に収容可能である。筐体２には、前面パネル２１が設けられている。前面パネル２１は、洋式便器８を挟んで配置されている。前面パネル２１は、筐体２の内部に設けられた収納部（図示なし）を開閉するものである。本実施形態では、トイレ背面用の収納棚に空気清浄機能が組み込まれている。ロータンク９の周辺のデッドスペースを利用することで、トイレ用空気清浄装置１の設置にともなって実質的なスペースが狭くなることを最小限にできる。また、ロータンク９の周辺の配管等が筐体２の内部に隠れ、床面１０ａの掃除もしやすくなる。
【００２３】
筐体２の内部には、流路３が設けられている。流路３は、空気の通路であって、筐体２の内部にて延在している。
【００２４】
筐体２の前面パネル２１には、吸込口４が設けられている。吸込口４は、前面パネル２１の下端部２２に配置されており、洋式便器８の座面８ａより低い位置で側方に開口している。本実施形態のトイレ用空気清浄装置１は、２つの吸込口４１、４２を備えている。２つの吸込口４１、４２は、洋式便器８を挟んで設けられている。
【００２５】
筐体２の上面には、吹出口５が設けられている。吹出口５は、吸込口４より上方に配置されており、上方に開口し、流路３を介して吸込口４と連通している。
【００２６】
流路３には、ファン６が設けられている。ファン６は、風量可変式のもので、公知のシロッコファン、プロペラファンなどが適用可能である。ファン６は、吸込口４と吹出口５の間に配置されている。ファン６は、筐体２の上面に設けられた吹出口５に向けて送風する。ファン６は、２つの吸込口４１、４２のうち、吸込口４２の近傍に設置されている。ファン６が作動すると、トイレ空間１０の空気が吸込口４１、４２に吸い込まれ、流路３を通った後、吹出口５から吹き出される。
【００２７】
本実施形態では、ファン６は、２つの吸込口４１、４２のうち、吸込口４２の近傍に設置されている。この場合、吸込口４１と吸込口４２とでは、吸引力（空気の吸引／吸込速度）が異なる。本実施形態では、吸引力を均一にするため、吸込口４１、４２からファン６に至る流路の幅（径）を調整して、吸込口４１、４２共にほぼ同一の吸込速度（吸込風速）となるようにしている。具体的には、ファン６に近い方の吸込口４２の流路の幅（径）を狭くすることで、ファン６から遠い方の吸込口４１の風速を吸込口４２と同程度にすることができる。
【００２８】
吸込口４には、ルーバー１２が設けられる。ルーバー１２は、空気の吸い込み方向を調節するもので、ルーバー１２の方向は、前後左右に可変である。空気が床面１０ａから吸込口４に向かうように空気の吸い込み方向をルーバー１２で調節することで、床面１０ａ付近にある塵がより効率的に吸込口４に吸い込まれ、装置の吸塵性能がより高まる。なお、ルーバー１２の方向は、空気が床面１０ａから吸込口４に向かうように固定されていてもよい。なお、ルーバー１２が除塵フィルタ７の前面に設置されれば、除塵フィルタ７が筐体２の外部からは直接見えなくなるので、装置の外観も良好となる。
【００２９】
吹出口５にも、吸込口４と同様に、ルーバー１３が設けられる。ルーバー１３は、空気の吹き出し方向を調節するもので、ルーバー１３の方向は、前後左右に可変である。ルーバー１３の方向を適宜調節することで、トイレ空間１０の空気がより循環しやすくなり、吹出口５から吸込口４に向かう流れがつくられる。これにより、空気中にある塵や床面１０ａに堆積した塵がより効率的に吸込口４に吸い込まれ、吸塵性能がより高まる。なお、ルーバー１３の方向は、吹出口５から吸込口４に向かう空気の流れがつくられるように固定されていてもよい。
【００３０】
流路３には、除塵フィルタ７が設けられている。除塵フィルタ７は、埃（細かいごみ、塵）を除去するためのもので、吸込口４１とファン６の間、吸込口４２とファン６の間にそれぞれ設けられている。除塵フィルタ７は、ＰＰフィルタ、不繊布、ＨＥＰＡフィルタなどが適用可能である。除塵フィルタ７は、１種類のものを用いてもよいし、複数種類のものを用いてもよい。除塵フィルタ７は、吸込口４１、４２の近傍に設置されている。吸込口４１、４２は、上述した様に、開閉式の前面パネル２１に設けられるので、除塵フィルタ７を吸込口４１、４２の近傍に設置することで、除塵フィルタ７の清掃や交換などが行いやすくなる。
【００３１】
流路３には、さらに、脱臭フィルタ１４と、芳香剤１５が設けられている。脱臭フィルタ１４は、空気を脱臭（消臭）するためのもので、ファン６と吹出口５の間に設けられている。芳香剤１５は、空気に芳香を付与するためのもので、ファン６と吹出口５の間に設けられている。脱臭フィルタ１４および芳香剤１５は、吹出口５の近傍に設置されており、交換などが行いやすくなっている。
【００３２】
本実施形態では、除塵フィルタ７、脱臭フィルタ１４および芳香剤１５が、吸込口４を起点として、除塵フィルタ７、脱臭フィルタ１４、芳香剤１５の順に配置されている。つまり、脱臭フィルタ１４及び芳香剤１５が、除塵フィルタ７の下流側に配設されている。
【００３３】
また、本実施形態では、ファン６の前（上流）に除塵フィルタ７が配置され、ファン６の後（下流）に脱臭フィルタ１４および芳香剤１５が配置されている。この構造によれば、除塵フィルタ７による圧損の影響をより小さくできると共に、装置の内部への埃などの進入を防止できる。
【００３４】
また、本実施形態では、２つの吸込口４１、４２が設けられるので、より効率的な除塵（吸塵）が可能となる。
【００３５】
トイレ用空気清浄装置１は、さらに、人検知センサ１６と、清浄度センサ１７と、制御パネル１８を備えている。人検知センサ１６は、ユーザのトイレ空間１０への入室及びトイレ空間１０からの退室を検知するものである。人検知センサ１６は、筐体２の上部に設けられている。本実施形態では、ユーザの入室および退室の検知結果（検知状況）に基づいて、ファン６のＯＮ／ＯＦＦ制御が行われる。清浄度センサ１７は、トイレ空間１０の空気の清浄度合（埃の量、臭いの程度など）を検知するものであって、公知の埃センサや臭いセンサなどが適用可能である。清浄度センサ１７は、筐体２の下部に設けられている。清浄度センサ１７は、筐体２の下部のうち、吸込口４の近傍に配置されている。制御パネル１８は、筐体２の前面パネル２１に設けられている。制御パネル１８には、各種ＳＷ（スイッチ）類が配置されており、自動運転（人検知センサで反応）や、手動運転（ファンの風量を好みで変えることができる）などの運転モードをユーザが切り替えることができる。制御パネル１８には、装置のＯＮ／ＯＦＦスイッチ（主電源）、自動運転／手動運転切り替えスイッチ、手動運転時のファン６のＯＮ／ＯＦＦスイッチ、手動運転時の風速設定スイッチ（弱・中・強の切り替え）が配置されている。
【００３６】
トイレ用空気清浄装置１は、さらに、埃巻き上げ用吹出口１９を備えている。埃巻き上げ用吹出口１９は、筐体２の前面パネル２１の下端部２２に設けられている。埃巻き上げ用吹出口１９は、吸込口４と隣接して配置されている。埃巻き上げ用吹出口１９は、トイレ空間１０の床面１０ａに向かって空気を吹き出すことによって、床面１０ａに堆積した埃を巻き上げる。埃巻き上げ用吹出口１９は、埃巻き上げ用流路１９ａおよび埃巻き上げ用切り替え弁１９ｂを介して、流路３と連通している。
【００３７】
図２および図３は、トイレ用空気清浄装置１の他の実施形態を示す斜視図である。図３に示す様に、手洗い２３の下方のスペースを用いてもよい。
【００３８】
次に、トイレ用空気清浄装置１で行われる制御の態様について、図４を参照して説明する。
【００３９】
（自動モードの場合）
人検知センサ１６によりユーザの入室を検知すると、ファン６が弱風で作動する（もしくは停止状態）。ファン６が弱風で作動する場合は、風量が気にならない程度で空気清浄効果が得られる。
【００４０】
ユーザの退室を検知したら、一定時間ファン６が強風で作動し、埃や臭いを強力に除去する。ファン６は、ある設定された時間が経過したら停止する。または、埃センサや臭いセンサなどの清浄度センサ１７が付いている場合は、清浄度センサ１７で空気が清浄になったことを検知したタイミングで停止する。退室した時から所定時間経過後にファン６が作動する場合は、ユーザの在室時間に関わらず、空気清浄効果を上げることができ、次の人が入るときの不快感を低減できる。また、汚れの程度は毎回状況に応じて異なるため、清浄度センサ１７を用いた制御の方が、より効果的な空気の清浄化が可能である。
【００４１】
ユーザが退室してトイレ空間１０に誰もいない時でも、一定時間経過した場合には、自動的に一定時間、ファン６を強風で作動させる。ユーザの出入りがなくても、塵埃は堆積するため、定期的に空気浄化するのが効率的である。
【００４２】
上記のように、ファン６が強風モードで作動しているときにユーザが入室した場合、ファン６は弱風モードへ切り替えられ、入室者が強風による不快感を感じないようにする。もしくはファン６を停止させる。
【００４３】
一定周期（例えば１日に１回）、ユーザが退室しているタイミングで、埃巻き上げ用の配管（図５参照）に切り替え、一定時間（数分程度）埃を巻き上げた後、通常の配管に切り替え、再度、空気清浄を行う。一旦沈降した埃の巻き上げが起こり、空気清浄効果をより上げることができる。すなわち、塵は、トイレ空間内の所定の場所に群集することが経験則上明らかであるが、かような群集した塵を含んだ空気を清浄するよりも分散された塵を含む空気を清浄する場合とでは、後者の方が、効率が良くなる。なぜなら、分散した塵を含む空気は、群集した塵を含む空気に比べて、容易に吸引し易いからからである。
【００４４】
（手動モードの場合）
制御パネル１８のＳＷ（スイッチ）を手動に切り替えると、自動モードから手動モードに切り替わり、任意にファン６を運転することが可能となる。ユーザは、トイレ掃除の時やトイレ空間１０の除塵が不十分な時に、制御パネル１８のスイッチを手動側に切り替えた後に、風量切替ＳＷ（風量選択ＳＷ）を弱・中・強より選択する。次に、手動ファンＯＮ／ＯＦＦスイッチを押してファン６を作動させることができる。
【００４５】
（目詰まり検知）
ある期間使用すると除塵フィルタ７には埃が堆積して、目詰まり状態となり、吸塵能力が著しく低下してしまうので、ファン６の作動時間をカウントするタイマーが設置してあり、一定時間経過すると、目詰まりアラーム（制御パネルに設置）にてフィルタ交換を知らせる。この目詰まり検知には、フィルタ部分の風速や風量を計測しておいて、目詰まりにより風速や風量が低下したことを検知して目詰まりを知らせるようにすることも可能である。
【００４６】
以上説明した様に、本発明のトイレ用空気清浄装置１によれば、空気の吸込口４が筐体２の下端部２２に設けられるので、吸込口４がトイレ空間１０の床面１０ａの近傍に位置する。これにより、床面１０ａに堆積した塵が吸込口４に十分に吸い込まれ、装置の吸塵性能がより高まる。
【００４７】
さらに、トイレ空間１０という狭い空間において、ロータンク９の周辺のデッドスペースがより有効に活用される。
【００４８】
さらに、洋式便器８を挟んだ両側において、床面１０ａに堆積した塵が効率的に除去され、トイレ空間１０の空気全体がより均一に清浄化される。
【００４９】
さらに、空気が床面１０ａから吸込口４に向かうようにルーバー１２によって空気の吸い込み方向を調節することで、床面１０ａの付近にある塵がより効率的に吸込口４に吸い込まれ、吸塵性能がより高まる。
【００５０】
さらに、吹出口５から吸込口４に向かう空気の流れがつくられるようにルーバー１３によって空気の吹き出し方向を調節することで、空気中にある塵や床面１０ａに堆積した塵がより効率的に吸込口４に吸い込まれ、吸塵性能がより高まる。
【図面の簡単な説明】
【００５１】
【図１】本発明に係るトイレ用空気清浄装置１の斜視図。
【図２】トイレ用空気清浄装置１の他の実施形態を示す斜視図。
【図３】トイレ用空気清浄装置１の他の実施形態を示す斜視図。
【図４】トイレ用空気清浄装置１で行われる制御の態様を示すタイムチャート。
【図５】通常運転時、埃巻き上げ運転時の配管の状態を示す模式図。
【符号の説明】
【００５２】
１  トイレ用空気清浄装置
２  筐体
３  流路
４  吸込口
５  第１吹出口
６  ファン
７  除塵フィルタ（清浄手段）
８  洋式便器（便器）
９  ロータンク
１０  トイレ空間
１０ａ  床面
１２  ルーバー（吸い込みルーバー）
１３  ルーバー（吹き出しルーバー）
１９  埃巻き上げ用吹出口（第２吹出口）
１９b 切替弁（切り替え手段）
２２  下端部
【図１】
2009019336.tif 000003
【図２】
2009019336.tif 000004
【図３】
2009019336.tif 000005
【図４】
2009019336.tif 000006
【図５】
2009019336.tif 000007